(57)【要約】【課題】施錠をしたときでも情報の入出力が可能な情報処理装置を提供する。【解決手段】情報処理装置が、蓋体を閉じることで筺体と前記蓋体との間に収納される第１の情報入出力部と、蓋体を閉じても収納されない第２の情報入出力部を備える。このため、第１の情報入力部は守秘性の高い情報を扱い、第２の情報入力部は守秘性をさほど要求されない情報を取り扱うようにすることで、守秘性への要求と取り扱いの利便性とを両立することが可能となる。【選択図】図１
2005071089.tif 000002
【特許請求の範囲】
【請求項１】
筺体と、
前記筺体に対して開閉可能な蓋体と、
前記蓋体を閉じることで前記筺体と前記蓋体との間に収納される第１の情報入出力部と、
前記蓋体を閉じても収納されず、かつ前記第１の情報入出力部で入出力される情報とは情報の秘匿性の程度が異なる情報を入出力する第２の情報入出力部と、
前記蓋体が閉じられているときに、前記蓋体が開かれないように施錠する施錠部と、
を具備することを特徴とする情報処理装置。
【請求項２】
情報記録媒体または周辺機器の取り外しのための操作部であって、かつ前記蓋体が閉じられているときに収納される操作部、
をさらに具備することを特徴とする請求項１記載の情報処理装置。
【請求項３】
情報記録媒体または周辺機器の取り外しのための操作部であって、かつ前記蓋体が閉じられているときに操作不能となる操作部、
をさらに具備することを特徴とする請求項１記載の情報処理装置。
【請求項４】
前記蓋体が開かれることでワイヤーの取付および取外が可能となり、前記蓋体が閉じられることで前記ワイヤーの取付および取外が不能となるワイヤ取付用突起、
をさらに具備することを特徴とする請求項１記載の情報処理装置。
【発明の詳細な説明】
【技術分野】
【０００１】
本発明は、開閉可能な蓋体を有する情報処理装置に関する。
【背景技術】
【０００２】
従来の携帯用情報処理装置、例えば、ノートパソコン、ＰＤＡ（Personal Digital Assistant）は、筐体に開閉可能な表示パネルが取り付けられている。携帯用情報処理装置の操作時には、表示パネルを開くことで表示内容の確認が可能となる。一方、その持ち運び時には、表示パネルを閉じることでキーボードなど破損しやすい部分は収納され、携帯に適した形態になる。ここで、表示パネルを閉じたときに施錠することで第三者による携帯用情報処理装置の使用を防止する技術が開示されている（特許文献、１，２参照）。
【特許文献１】特開２００１−３２５０４０号
【特許文献２】特開平１０−３１２２２３号
【発明の開示】
【発明が解決しようとする課題】
【０００３】
しかしながら、従来の携帯用情報処理装置では、施錠をしたときには情報の入出力を行うことができなかった。
本発明はこのような課題を解決するためになされたもので、施錠をしたときでも情報の入出力が可能な情報処理装置を提供することを目的としている。
【課題を解決するための手段】
【０００４】
上記目的を達成するために本発明に係る情報処理装置は、筺体と、前記筺体に対して開閉可能な蓋体と、前記蓋体を閉じることで前記筺体と前記蓋体との間に収納される第１の情報入出力部と、前記蓋体を閉じても収納されず、かつ前記第１の情報入出力部で入出力される情報とは情報の秘匿性の程度が異なる情報を入出力する第２の情報入出力部と、前記蓋体が閉じられているときに、前記蓋体が開かれないように施錠する施錠部と、を具備することを特徴とする。
【０００５】
情報処理装置が、蓋体を閉じることで筺体と前記蓋体との間に収納される第１の情報入出力部と、蓋体を閉じても収納されない第２の情報入出力部を備える。このため、第１の情報入出力部の操作は蓋体を施錠することで防止されるのに対して、第２の情報入出力部の操作は蓋体を施錠しても可能となる。
この結果、第１の情報入力部は守秘性の高い情報を扱い、第２の情報入力部は守秘性をさほど要求されない情報を取り扱うようにすることで、守秘性の要求と取り扱いの利便性とを両立することが可能となる。例えば、第１の情報入出力部をロックした状態でも第２の情報入出力部により、音楽のＣＤの聴取を行なえる。
【０００６】
（１）情報処理装置が、情報記録媒体または周辺機器の取り外しのための操作部であって、かつ前記蓋体が閉じられているときに収納される操作部、をさらに具備してもよい。
蓋体を施錠することで、操作部を収納して、情報記録媒体または周辺機器の取り外して持ち去られることを防止できる。
【０００７】
（２）情報処理装置が、情報記録媒体または周辺機器の取り外しのための操作部であって、かつ前記蓋体が閉じられているときに操作不能となる操作部、をさらに具備してもよい。
蓋体を施錠することで、操作部を操作不能として、情報記録媒体または周辺機器の取り外して持ち去られることを防止できる。
【０００８】
（３）情報処理装置が、前記蓋体が開かれることでワイヤーの取付および取外が可能となり、前記蓋体が閉じられることで前記ワイヤーの取付および取外が不能となるワイヤ取付用突起、をさらに具備してもよい。
蓋体を施錠することで、ワイヤ取付用突起に取付られたワイヤの取り外しを行えなくして、情報処理装置自体あるいは周辺機器の持ち去りを防止できる。
【発明の効果】
【０００９】
以上説明したように、本発明によれば施錠をしたときでも施錠をしたときでも情報の入出力が可能な情報処理装置を提供することができる。
【発明を実施するための最良の形態】
【００１０】
以下の実施形態では、蓋体を閉じ物理的または電子的に施錠する機構を設けている。そして、１）蓋体を閉じたときに収納される第１の情報入出力部は施錠を解除しなければ操作不能とし、２）蓋体を閉じたときに収納されない第２の情報入出力部は施錠を解除しなくても操作可能としている。
この結果、第１の情報入出力部は守秘性の高い情報（例えば、個人情報や業務情報）を扱い、第２の情報入出力部は守秘性をさほど要求されない情報（他人に知られても差し支えない一般的な情報、例えば、一般的な音楽）を取り扱うようにすることで、守秘性への要求と取り扱いの利便性とを両立することが可能となる。例えば、第１の情報入出力部を施錠した状態でも第２の情報入出力部により、音楽のＣＤの聴取を行える。
以下、図面を参照して本発明の実施の形態を詳細に説明する。
【００１１】
（第１実施形態）
図１〜４は本発明の第１実施形態に係る情報処理装置１０の構成を示す図である。
図１〜４はそれぞれ、開状態の情報処理装置１０の上面、正面、左側面、および右側面を表す図である。また、図５、６はそれぞれ、閉状態の情報処理装置１０の上面、正面を表す図である。
図１〜６に示されるように、情報処理装置１０は、筺体２０、蓋体３０から構成される。蓋体３０は、ヒンジ４０により筺体２０と回動可能に接続され、筺体２０に対して開閉することができる。
【００１２】
筺体２０は、蓋体接続部２１、ワイヤ取付用突起２２，２３、ＰＣカード・イジェクトボタン２４、セレクタブルベイ・イジェクトボタン２５を備えている。
蓋体３０は、筺体接続部３１、突起対応部３２，３３、接続解除部３４、鍵３５を備える。
【００１３】
さらに、情報処理装置１０は、表示パネル５１、パワーボタン５２、キーボード５３、マウスポインタ５４、ＰＣカードスロット５５、セレクタブルベイ・スロット５６、ＵＳＢスロット５７、表示パネル６１、ジョグ選択ボタン６２、ＣＤ操作ボタン６３、ＣＤトレイ６４を備えている。
【００１４】
蓋体接続部２１と筺体接続部３１は対をなし、筺体２０と蓋体３０とを接続する。ここでは、蓋体接続部２１、筺体接続部３１はそれぞれ、フック、フック掛け溝であり、フックがフック掛け溝に挿入、係合されることで、筺体２０と蓋体３０とが接続されて、筺体２０に対して蓋体３０が閉じられ、開くことができない状態になる。
【００１５】
接続解除部３４は、例えばロックボタンであり、蓋体接続部２１と筺体接続部３１との接続状態（ロック）を解除する。例えば、ロックボタンを押すことで、フック、フック掛け溝間のロックが解除され、蓋体３０を開くことが可能となる。
【００１６】
鍵３５は、接続解除部３４によるロックの解除操作の制限、制限解除を行うための機構であり、施錠部として機能する。本実施形態では、鍵３５は４つの回転可能なダイヤルからなり、ダイヤルを回転して４つのダイヤルに示された数字を所定の数字（例えば、１２３４）に合わせることで、接続解除部３４の操作が可能となる。即ち、ダイヤルの数字と所定の数字との一致、不一致によって鍵の開閉を行うことができる。
この鍵３５は機械的な機構によって動作するものとしているが、これに替えて電子的な鍵を採用しても差し支えない。例えば、暗証番号等の解除キーを情報処理装置１０記憶させておき、この解除キーが入力されることで施錠を解除し、接続解除部３４による接続解除操作を可能とすることができる。解除キーの入力は、ボタン操作、赤外線等種々の方法で行える。
【００１７】
ワイヤ取付用突起２２と突起対応部３２、ワイヤ取付用突起２３と突起対応部３３はそれぞれ、互いに対をなし、蓋体２０を閉じることで、ワイヤ取付用突起２２が突起対応部３２に収容され、ワイヤーの固定、固定解除を行える。ワイヤ取付用突起２２および突起対応部３２は情報処理装置１０の持ち去り防止のためのワイヤＷ１を取り付けるためのものであり、ワイヤ取付用突起２３および突起対応部３３は周辺機器の持ち去り防止のためのワイヤＷ２を取り付けるためのものである。
【００１８】
図７（Ａ）、（Ｂ）はそれぞれ、ワイヤ取付用突起２２、２３にそれぞれ、ワイヤＷ１、Ｗ２が取り付けられた状態の一例を表す上面図および側面図である。ワイヤＷ１はその両端にループ（輪）を有している。ワイヤＷ１を適宜の構造物Ｓに通し、かつこの２つのループをワイヤ取付用突起２２に挿入した状態で、蓋体３０を閉じるとワイヤ取付用突起２２と突起対応部３２とが嵌合する。
この結果、蓋体３０が閉じられた状態では、ワイヤＷ１を介して情報処理装置１０と構造物Ｓとが接続され、情報処理装置１０の持ち去りを防止できる。なお、構造物Ｓは室内の備品の支柱（例えば、机や椅子の脚）等、接続することで情報処理装置１０の持ち去りが困難となるものであれば何でもよい。
【００１９】
また、ワイヤＷ２はその一端がＵＳＢ端子ＵＳＢＴを有する外部機器（図示せず）のケーブルに接続され、他端にループ（輪）を有している。このループをワイヤ取付用突起２３に挿入した状態で、蓋体３０を閉じるとワイヤ取付用突起２３と突起対応部３３とが嵌合し、ワイヤＷ２を介して情報処理装置１０と外部機器とが接続され、外部機器を情報処理装置１０から分離して、持ち去られることを防止できる。
【００２０】
図８（Ａ）、（Ｂ）は、ワイヤ取付用突起２２にワイヤが取付られた状態の他の例を表す上面図および側面図である。ここではワイヤＷ１の両端のループ（輪）の一方に、ワイヤＷ１が通されている。さらに、ワイヤＷ１は構造物Ｓに通され、かつループの他方をワイヤ取付用突起２２（突起）に挿入した状態で、蓋体３０が閉じられている。この結果、蓋体３０が閉じられた状態では、ワイヤＷ１を介して情報処理装置１０と構造物Ｓとが接続され、情報処理装置１０の持ち去りを防止できる。
前述のように、鍵３５によって、筺体２０と蓋体３０に鍵を掛け、蓋体３０を開けられないようできるので、情報処理装置１０からのワイヤＷ１を取り外しが防止される。
【００２１】
鍵３５を解除して蓋体３０を開けることで、情報処理装置１０からワイヤＷ１を容易に取り外すことができる。ワイヤＷ１の取り外しは、いわゆるケンジントンロックワイヤよりも容易である。ケンジントンロックワイヤはワイヤの先に鍵機構を有し、この鍵機構の操作によって、鍵の開閉（情報処理装置との接続／接続解除）を行っているが、本実施形態ではワイヤＷ１自体にはこのような鍵機構を必要としない。なお、ワイヤＷ１自体に鍵機構を備えさせることも可能である。
【００２２】
表示パネル５１は、液晶表示素子等の表示装置であり、蓋体３０の表面に取り付けられ、蓋体３０を閉じることで、収納される。
パワーボタン５２は、情報処理装置１０を起動するためのスイッチである。
キーボード５３、マウスポインタ５４は、情報を入力するための入力装置である。
【００２３】
ＰＣカードスロット５５はＰＣカードＰＣＣを収容、接続するためのスロットである。ＰＣカードスロット５５に接続されたＰＣカードＰＣＣは、ＰＣカード・イジェクトボタン２４を操作（例えば、スライド）することでＰＣカードスロット５５から取り出すことができる。
【００２４】
セレクタブルベイ・スロット５６は、例えば、ハードディスクＨＤの増設のためのセレクタブルベイＳＢを収容、接続するためのスロットである。セレクタブルベイ・スロット５６に接続されたセレクタブルベイＳＢは、セレクタブルベイ・イジェクトボタン２５を操作（例えば、スライド）することでセレクタブルベイ・スロット５６から取り出すことができる。
ＵＳＢスロット５７は、ＵＳＢ端子ＵＳＢＴを収容、接続するためのスロットである。
【００２５】
パワーボタン５２、キーボード５３、マウスポインタ５４、ＰＣカード・イジェクトボタン２４、およびセレクタブルベイ・イジェクトボタン２５は、筺体２０の上面に取り付けられ、蓋体３０を閉じることで、収納される。
このため、パワーボタン５２、キーボード５３、マウスポインタ５４は蓋体３０を閉じると操作することができない。すなわち蓋体３０を閉じると、パワーボタン５２によるシステムの起動、キーボード５３、マウスポインタ５４によるデータの入力は鍵３５を解錠しない限り不可能である。
また、ＰＣカード・イジェクトボタン２４、およびセレクタブルベイ・イジェクトボタン２５も蓋体３０を閉じると操作することができなくなる。すなわちＰＣカードＰＣＣ、セレクタブルベイＳＢを筺体２０から取り外すことができなくなる。
【００２６】
表示パネル６１は、液晶表示素子等の表示装置である。
ジョグ選択ボタン６２は、ＣＤ（あるいはＤＶＤ）プレーヤ、メール着信、時計等の機能を選択するためのボタンである。ジョグ選択ボタン６２の操作によって、表示パネル６１にＣＤ（あるいはＤＶＤ）プレーヤ、メール着信、時計等のための表示がなされる。
ＣＤ操作ボタン６３は、ＣＤの再生、早送り等を行うための操作ボタンである。
ＣＤトレイ６４は、ＣＤを収容するためのトレイである。なお、ＣＤに替えてＤＶＤを収容することもできる。
【００２７】
表示パネル６１、ジョグ選択ボタン６２、ＣＤ操作ボタン６３、およびＣＤトレイ６４は、筺体２０の側面に取り付けられ、蓋体３０を閉じても、収納されず、操作可能である。すなわち、ＣＤの入れ替え、再生の操作、メール着信、時刻の確認は鍵３５を解錠しなくても行える。
【００２８】
以上から判るように、表示パネル５１、パワーボタン５２、キーボード５３、マウスポインタ５４、ＰＣカード・イジェクトボタン２４、およびセレクタブルベイ・イジェクトボタン２５は、蓋体３０を閉じることで、収納され、ユーザによるアクセス（操作、表示内容の視認等）が行えなくなる（第１の情報入出力部等に対応）。
これに対して、表示パネル６１、ジョグ選択ボタン６２、ＣＤ操作ボタン６３、およびＣＤトレイ６４は、蓋体３０を閉じても、収納されることはなく、操作可能である（第２の情報入出力部等に対応）。
【００２９】
このように、アクセスの可否が蓋体３０の開閉に関連するか否かで情報入出力部を第１、第２の入出力部に区分することができる。そして、第１、第２の入出力部と取り扱う情報の秘匿性の高低とを対応させることで、秘匿性の高い情報はロック可能とし、秘匿性をさほど要求されない情報は秘匿性の高い情報をロックした状態でも取り扱えるようにすることができる。
【００３０】
（第２実施形態）
図９は本発明の第２実施形態に係る情報処理装置１０ａの構成を示す正面図である。
本実施形態ではＰＣカード・イジェクトボタン２４ａ、セレクタブルベイ・イジェクトボタン２５ａが筺体２０ａの上面ではなく、側面に設置されている。また、操作制限突起３８，３９が蓋体３０に備えられている。
【００３１】
蓋体３０ａを閉じた場合、ＰＣカード・イジェクトボタン２４ａ、セレクタブルベイ・イジェクトボタン２５ａは収容されない。しかし、操作制限突起３８、３９がＰＣカード・イジェクトボタン２４ａ、セレクタブルベイ・イジェクトボタン２５ａに嵌合する。このため、ＰＣカード・イジェクトボタン２４ａ、セレクタブルベイ・イジェクトボタン２５ａを操作することができなくなる。この結果、蓋体３０ａを閉じた状態ではＰＣカードＰＣＣ、セレクタブルベイＳＢを筺体２０から取り外すことができない。
他の点では、本実施形態は第１の実施形態と本質的に異なるものではないので、記載を省略する。
【図面の簡単な説明】
【００３２】
【図１】本発明に係る第１実施形態の情報処理装置が開いた状態の構成を表す上面図である。
【図２】本発明に係る第１実施形態の情報処理装置が開いた状態の構成を表す正面図である。
【図３】本発明に係る第１実施形態の情報処理装置が開いた状態の構成を表す左側面図である。
【図４】本発明に係る第１実施形態の情報処理装置が開いた状態の構成を表す右側面図である。
【図５】本発明に係る第１実施形態の情報処理装置が閉じた状態の構成を表す上面図である。
【図６】本発明に係る第１実施形態の情報処理装置が閉じた状態の構成を表す正面図である。
【図７】本発明に係る第１実施形態の情報処理装置にワイヤを接続した状態の一例を表す上面図および正面図である。
【図８】本発明に係る第１実施形態の情報処理装置にワイヤを接続した状態の他の例を表す上面図および正面図である。
【図９】本発明に係る第２実施形態の情報処理装置が閉じた状態の構成を表す正面図である。
【符号の説明】
【００３３】
１０…情報処理装置、２０…筺体、２１…蓋体接続部、２２，２３…ワイヤ取付用突起、２４…ＰＣカード・イジェクトボタン、２５…セレクタブルベイ・イジェクトボタン、３０…蓋体、３１…筺体接続部、３２，３３…突起対応部、３４…接続解除部、３５…鍵、４０…ヒンジ、５１…表示パネル、５２…パワーボタン、５３…キーボード、５４…マウスポインタ、５５…ＰＣカードスロット、５６…セレクタブルベイ・スロット、５７…ＵＳＢスロット、６１…表示パネル、６２…ジョグ選択ボタン、６３…ＣＤ操作ボタン、６４…ＣＤトレイ
【図１】
2005071089.tif 000003
【図２】
2005071089.tif 000004
【図３】
2005071089.tif 000005
【図４】
2005071089.tif 000006
【図５】
2005071089.tif 000007
【図６】
2005071089.tif 000008
【図７】
2005071089.tif 000009
【図８】
2005071089.tif 000010
【図９】
2005071089.tif 000011